(57)【要約】  グローブまたはソックス状のケースの形状を一般に持つ、手足の関節炎および関節症の治療のためのデバイスであって、このデバイスは、多孔質材料で作製された内側層（１４）と、内部空間全体を覆う、パラフィンで満たされた袋（１）の形態の第２の層と、当該内側パラフィン層（１）を取り囲む状態で、指または足指をまっすぐにするように設計された手段（ニチノールまたは近似の材料で作製されたワイヤ）が備わるテフロン副木（２）と、ラテックスまたは絶縁材料（４）で作製された非常に薄い層と、最後に外側カバー（６）と、が配置され、さらに、それぞれの指の周りか、手の甲または手の平に平行にワイヤまたはコイル（５）をさらに備えることができる。さらに、デバイスは、電源を入れ、温度および適用されるべき電流を制御する制御ユニット（１２）を備える。【選択図】図１
2019505273.tif 000002
【特許請求の範囲】
【請求項１】
保護される手または足が収められるグローブまたはソックス状のケースの形状を一般に持つ、前記手足の関節炎、関節症、慢性炎症、痛み軽減および筋緊張の治療のためのデバイスであって、
−  多孔質材料で作製された第１の層（１４）と、
−  内部空間全体または部分的には治療の目標領域を覆う、パラフィンで満たされた袋（１）の形態の第２の内側層または体積部と、
−  前記第２のパラフィン層（１）を取り囲む状態で、スタック副木の形態で設けられたテフロンまたは近似の副木（２）であって、指または足指を徐々にまっすぐにさせる手段を備えるテフロンまたは近似の副木と、
−  ラテックスまたは絶縁材料（４）で作製された非常に薄い層と、
−  上記の層の全てを取り囲む外側カバー（６）と
を備え、
さらに、前記デバイスは、電源を入れ、温度および適用されるべき種類の電流を制御する制御ユニット（１２）を備える、デバイス。
【請求項２】
前記指または足指を徐々にまっすぐにするための前記手段は、螺旋状設計で配置されるか、前記スタック副木の上部開口部に固定されたニチノール（３）またはバイメタル材料で作製されたワイヤを備え、前記ニチノールまたはバイメタル材料ワイヤは、前記温度が上昇するとその寸法が変化し、その後、前記温度が低下するとその初期位置に戻る、請求項１に記載の手足の関節炎、関節症、慢性炎症、痛み軽減および筋緊張の治療のためのデバイス。
【請求項３】
前記指または足指を徐々にまっすぐにするように設計された前記テフロンまたは近似の副木（２）の手段は、牽引下にあって両側にテンショナ、ブラケットまたは磁石を備える、請求項１に記載の手足の関節炎、関節症、慢性炎症、痛み軽減および筋緊張の治療のためのデバイス。
【請求項４】
前記薄い絶縁またはラテックス層（４）と外側包装との間に配置されるか、前記第２の外側パラフィン層または体積部の内部に配置されたワイヤまたはコイル（５）を備える、請求項１から３のいずれか一項に記載の手足の関節炎、関節症、慢性炎症、痛み軽減および筋緊張の治療のためのデバイス。
【請求項５】
前記ワイヤまたはコイル（５）は、それぞれの指または足指の周りか、手の甲および手の平に平行なリールとして配置可能である、請求項４に記載の手足の関節炎、関節症、慢性炎症、痛み軽減および筋緊張の治療のためのデバイス。
【請求項６】
前記ワイヤまたはコイル（５）は、所定の温度まで加熱されたときに前記パラフィンが融解するように、好ましくは編み炭素、ニクロム、ニチノールまたは他の導電性要素で作製された、請求項４または５に記載の手足の関節炎、関節症、慢性炎症、痛み軽減および筋緊張の治療のためのデバイス。
【請求項７】
前記デバイスの前記制御ユニット（１２）は、
−  電源を入れおよび切るためのスイッチ（８）と、
−  温度遠隔制御部（９）と、
−  電気療法用途のための電流遠隔制御部（１０）と、
−  前記指または足指の各々に関する全ての回路が制御される電子回路（６）と、
−  充電可能なバッテリ（７）を含み、電源網からの充電ポイント（１３）が備わる供給手段と
を備える、請求項１から６のいずれか一項に記載の手足の関節炎、関節症、慢性炎症、痛み軽減および筋緊張の治療のためのデバイス。
【発明の詳細な説明】
【技術分野】
【０００１】
発明の名称から明らかなように、本発明の対象は、手足に配置された場合に、当該手足の関節炎および関節症を迅速かつ効果的に治療することができる、手足の関節炎および関節症、慢性炎症、痛み軽減ならびに筋緊張の治療のための、グローブまたはソックスの形態のデバイスである。
【０００２】
本発明は、デバイスの構造的特徴によって特徴付けられ、このことは、異なる技術および手段を同一のデバイスのなかで同時に組み合わせることを可能とし、異なる技術の同時の配置および使用の結果として生じる相乗的効果をもたらす。
【０００３】
したがって、本発明は、手足の関節炎、関節症、慢性炎症、痛み軽減および筋緊張の治療に使用されるデバイスおよび技術の範囲に含まれる。
【背景技術】
【０００４】
関節症は、関節軟骨の変質によって引き起こされる変性疾患であり、関節軟骨は、骨端を覆い、互いに結合して関節を形成する部分であり、運動を可能にする骨格の構成要素である。
【０００５】
関節軟骨は、全ての関節を構成する骨端の間の緩衝面および滑り面であるため、関節が良好に機能するのに不可欠である。
【０００６】
疾患の進行中、関節軟骨の侵食は、骨の関節に対向している関節軟骨を変化させ、結果として摩耗過程を開始させる場合がある。
【０００７】
その結果、ある時点で軟骨が消失する場合があり、痛みが現れる。軟骨が徐々に消失するにつれて、骨が側面で反応および成長し（骨棘）、それによって関節の変形を引き起こす。
【０００８】
一方、関節炎は、関節の炎症であり、痛みおよび硬直を引き起こす。関節炎は、特に年を取るにつれて多数の人々に影響を与える。
【０００９】
関節症および関節炎には、個人に合わせて改良された運動計画および薬理学的治療を含め、様々な治療法がある。
【００１０】
症状の中でも特に関節症および関節炎の治療のための表面温熱療法である、パラフィン浴などの他の治療法がある。
【００１１】
パラフィン浴における治療薬は、熱である。このため、パラフィン浴を準備するためには、物質が５０℃から５４℃の範囲にある温度に達することが必要である。パラフィン浴の発熱量は、水の発熱量の６倍であり、得られる鎮痛効果は、より大きくかつより長く持続する。
【００１２】
第１のステップは、前述の温度で数秒間、６〜１２回パラフィン容器に手を入れ、次いで、手を浴槽から取り出し、パラフィンが冷却されて固体層を形成するまで、１５〜２０分間待つことである。この段階で、ミットを使用してもよい。
【００１３】
パラフィンワックスは、燃焼の危険なしに皮膚に塗布することができるほど十分に低い低融点を有する。融解したワックスの熱感覚は、筋肉を緩め、血流を増加させ、手を弛緩させることで、関節炎によって引き起こされる痛みを緩和する。さらに、精油を加えてもよく、これは、痛みを緩和し、弛緩を促進するのに役立つ。
【００１４】
関節症および関節炎の治療に使用される他の技術には、寒冷および温熱療法ならびに電気療法が挙げられる。
【００１５】
寒冷療法は、関節の急性炎症の段階がある場合にのみ必要とされるが、熱の適用は、関節症によって引き起こされる痛み、関節硬直および筋肉収縮を緩和することを意図している。
【００１６】
電気療法は、損傷領域を活性化するように、所定の周波数および強度を有する電場、磁場または電磁場の印加を含む。１つの電気療法技術は、短波療法であり、組織再生能力の向上をもたらす循環および流動化（ｆｌｕｉｄｉｆｉｃａｔｉｏｎ）の増大を引き起こすために温度上昇を達成するように設計されている。さらに、弾性および流動性の増大により、組織は、より容易に移動することができる。
【００１７】
関節症および関節炎の場合の関節の健康改善のために用いられる別の技術は、スタック副木（ｓｔａｃｋ  ｓｐｌｉｎｔ）を使用することを含み、その目的は、近位指節間関節の運動を可能にする一方で、遠位指節間関節を伸展または過伸展させた状態に維持することによって遠位指節間関節を固定することであり、それにより、残りの関節への潜在的悪影響を防止する。
【発明の概要】
【発明が解決しようとする課題】
【００１８】
上記の全ての技術は、別々にかつ複数のセッションで適用されなければならない。さらに、それらは、費用のかかる複雑な機械を使用する専門家に適用される。これらの理由から、当該症状の治療は、一部の患者に対する時間、金銭および専念の点において、犠牲の大きいものである。
【課題を解決するための手段】
【００１９】
したがって、本発明の目的は、請求項１に本質的に説明される下に述べられるようなデバイスを開発することにより、当該治療を受けるために専門センターを訪れる必要がなく、上記の技術を任意の組み合わせで、簡単かつ効果的な方法で、同時に適用することを可能とするデバイスを開発することである。
【００２０】
本発明の対象は、保護される手または足が収められるグローブまたはソックス状のケースの形状を一般に持つ、関節症、関節炎、慢性炎症、痛み軽減および筋緊張の治療のためのデバイスである。
【００２１】
デバイスは、内側から外側に向かって以下のように配置された多数の層または要素を備える。
−  多孔質材料で作製された第１の内側層と、
−  内部空間全体または部分的には治療の目標とする特定領域を覆う、パラフィンで満たされた袋の形態の第２の内側層または体積部と、
−  第２のパラフィン層が収容されたスタック副木の形態のテフロン（登録商標）または半剛性材料で作製される副木（これらのテフロン（登録商標）または近似の副木は、指または足指を徐々にまっすぐにさせる。牽引下にあって両側にテンショナ（ｔｅｎｓｏｒｓ）、ブラケットまたは磁石を用いて調節を行うことができる）と、
−  オーステナイト相とマルテンサイト相との間の熱可塑性マルテンサイト変態のために元の形状に戻ることができる、ニチノール（チタンおよびニッケルの合金か、これと同様のもの）または近似の材料で作製されたワイヤ（これらは、高い可撓性、ヒトとの生体適合性を有し、腐食性ではない。温度が上昇すると寸法が変化し、温度が変化すると元の寸法に戻る。ニチノールに近似の材料には、バイメタルが含まれる。最も単純な実施形態では、温度の関数として長さが変化する特性を有するこれらの材料は、以下の機能を果たす。
・パラフィンを加熱すること
・短波治療、長波治療等のための電磁場を生成すること
・手足をまっすぐにさせるためにスタックセルプロモータ（ｓｔａｃｋ  ｃｅｌｌ  ｐｒｏｍｏｔｅｒｓ）として機能する）と、
−  上記の全ての要素を覆う、ラテックスまたは絶縁材料で作製された非常に薄い層と、
−  最後に、上記の全てを覆うグローブの外側層。
【００２２】
さらに、補足的な方法で、編み炭素繊維で作製された加熱ワイヤまたはコイルか、例えば金属ワイヤなどの電気抵抗性要素が、所与の温度まで加熱されたときに、それらが内部のパラフィンを融解させ、電磁場発生器としても機能することができるように、当該絶縁層を取り囲む状態またはパラフィン袋の内側に配置されてもよい。
【００２３】
これらの炭素繊維加熱ワイヤまたはコイルは、手に垂直な電磁場を生成するため、指の周りに配置されても、手の平および手の甲によって形成される平面に平行に配置されてもよい。
【００２４】
したがって、本発明は、抵抗性コイルによって加熱される内部パラフィンケースを備えた、独立の指または足指を有するケース、例えばグローブまたはソックスの形態のデバイスに関し、デバイスは、異なる波長による電気療法、短波または電磁場を適用するためにさらに使用されてもよい。
【００２５】
さらに、スタック副木の形態のテフロン（登録商標）副木を用いて関節の位置が同時に修正されてもよい。
【００２６】
さらに、ニチノールまたは他のバイメタル材料で作製されたワイヤが使用される場合は、温度の上昇によりその寸法が変化し、続いて、その位置が戻るという性質により、関節をまっすぐにさせる効果が強化される。
【００２７】
したがって、デバイスの構造的特性により、幾つかの技術が、完全にまたはそれらの幾つかを組み合わせることによって同時に適用されてもよい。さらに、これは、専門センターへの訪問またはその適用のための複雑な機械の使用が求められないように、睡眠中の使用または手の使用を必要とするいかなる特定の活動の実行をも伴わない使用を可能とし、これにより、関節症および関節炎、慢性炎症、痛み軽減ならびに筋緊張の治療を効果的かつ根本的に改善する。
【００２８】
特に明記されていない限り、本明細書で使用される全ての技術的および科学的要素は、本発明が関係する分野の当業者によって理解される習慣的な意味を有する。本発明を実施する際には、本明細書に記載されているものと同様のまたは同等のプロセスおよび材料を使用することができる。
【００２９】
本明細書および特許請求の範囲を通じて、「含む、備える（ｃｏｍｐｒｉｓｅ）」という語およびその活用形は、他の技術的特徴、付加物、構成要素またはステップを排除することを意図しない。当業者にとって、本発明の他の目的、利点および特徴は、一部においては本明細書から、一部においては本発明の実施から、生じるものである。
【図面の簡単な説明】
【００３０】
本発明の好ましい実施形態によれば、本明細書を補足し、本発明の特徴のより良い理解に寄与するため、当該明細書の不可欠な部分として一組の図面が添付されており、以下は、例示的で非限定的な目的のために提示される。
【００３１】
【図１】図１は、グローブの形態のデバイスの一部を形成する要素が示された、当該デバイスの簡略表現を示す。
【図２】図２は、デバイスを構成する要素およびそれらの相対位置を詳細に示すため、デバイスのキャビティの１つの詳細な例を示す。
【図３】図３は、パラフィンで満たされた袋の形態の第２の内側層または体積部の内部にコイルが収容されまたは埋め込まれた実施形態を示す。
【発明を実施するための形態】
【００３２】
これらの図に照らして、以下、提案される発明の好ましい実施形態を説明する。
【００３３】
図１において、本発明のデバイスは、
−  多孔質材料で作製された第１の内側層（１４）と、
−  内部空間全体または部分的には治療の目標領域を覆う、パラフィンで満たされた袋（１）の形態の第２の内側層または体積部と、
−  ここに、当該第２の内側パラフィン層または体積部（１）は、スタック副木の形態のテフロン（登録商標）または近似の副木（２）によって取り囲まれ（これらのテフロン（登録商標）または近似の副木は、指を徐々にまっすぐにさせる手段を備える。牽引下にあって両側に備わるテンショナ、ブラケットまたは磁石を用いて調節を行うことができる）、
−  ラテックスまたは絶縁材料（４）で作製された非常に薄い層と、
−  上記の層の全てを取り囲む外側カバー（６）と
を備えることが分かる。
【００３４】
第１の実施形態では、ワイヤを徐々にまっすぐにさせるために副木（２）が備わる手段は、螺旋状設計で配置されているか、スタック副木の上部開口部に固定されたニチノール（３）またはバイメタル材料で作製されたワイヤを備え、ニチノールまたはバイメタル材料で作製されたワイヤは、図示のように、温度が上昇するとその寸法が変化し、その後、温度が低下するとその初期位置に戻ることができる。
【００３５】
温度に応じてその寸法が変化するこれらのワイヤは、三つの機能を果たす。
・パラフィンを加熱すること
・短波治療、長波治療等のための電磁場を生成すること
・手足をまっすぐにさせるためにスタックセルプロモータとして機能すること
【００３６】
可能な補足実施形態では、ニチノールまたは近似のワイヤ（３）に加えて、デバイスは、ある一定の温度まで加熱されたときにパラフィンが融解するように、好ましくは編み炭素、ニクロム、ニチノールまたは他の導電性要素で作製されたワイヤまたはコイル（５）を備える。
【００３７】
これらのワイヤまたはコイル（５）は、薄い絶縁またはラテックス層（４）と外側包装との間に配置することも、第２の外側パラフィン層または体積部の内部に配置することも可能である。
【００３８】
当該ワイヤまたはコイル（５）は、それぞれの指の周りに配置することも、手の甲および手の平に平行なリールとして配置することも可能である。
【００３９】
さらに、パラフィンを融解させるための熱または短波を発生させるための電磁場を生成する、二重の機能を有することも可能である。
【００４０】
さらに、デバイスは、電源を入れ、温度と適用されるべき電流を制御する制御ユニット（１２）を備える。
【００４１】
図２は、指または足指を収めるように設計されたキャビティの部分の可能な実施形態を示し、ここに、ニチノールワイヤ（３）が、副木（２）の自由端部に固定され、例えば抵抗性コイル（４）によって引き起こされる温度の上昇に曝された場合に、副木（２）の直径を減少させる。例示を目的として、２５℃から３０℃の範囲にある温度でニチノールワイヤ（３）を有する当該副木の自由内径が１６ｍｍであるのに対し、ニチノールワイヤを有する当該副木の４５℃での直径は、１２ｍｍまで減少し、自由内部空間の縮小により、内部にある関節をまっすぐにさせるプロセスにつながる。
【００４２】
デバイスの制御ユニット（１２）は、
−  プログラムを選択し、電源を入れおよび切るためのスイッチ（９）と、
−  温度遠隔制御部（１０）と、
−  電気療法用途のための電流遠隔制御部（１１）と、
−  指または足指の各々に関する全ての回路が制御される電子回路（７）と、
−  配電網に接続されるか、図示された形態で充電可能なバッテリ（８）を含むことができる、電源網からの充電ポイント（１３）を備えた供給手段と
を備える。
【００４３】
図３は、テフロン（登録商標）または近似の材料で作製された副木（２）を取り囲む代わりに、コイル（５）（同図には示されていない）が、パラフィンで満たされた袋（１）の形態で、第２の内側層または体積部の内部に収容されまたは埋め込まれた代替的実施形態を示す。
【００４４】
本発明およびその実施態様が十分に説明されたので、本発明は、その本質の範囲において、その基本原理を変更し、変化させまたは修正しない限り、一例として示されたものに対する細かな点での相違を示すものの要求される保護を等しく受ける他の実施形態として、実施されてもよい。
【図１】
2019505273.tif 000003
【図２】
2019505273.tif 000004
【図３】
2019505273.tif 000005
【国際調査報告】
2019505273.tif 000006
2019505273.tif 000007
2019505273.tif 000008
2019505273.tif 000009
2019505273.tif 000010
2019505273.tif 000011
2019505273.tif 000012
2019505273.tif 000013